(57)【要約】      （修正有）【課題】就職活動に役立つ情報のみを簡潔に整理し、参照を容易にする就職活動の管理カード帳を提供する。【解決手段】就職活動期間中の訪問企業、訪問時間、訪問目的が日付毎に記入出来て、ファイルされるカレンダーカード１、エントリーシートの提出先、提出日、提出確認チェックを記入出来て一覧となっている、ファイルされるエントリーシート提出期限一覧表カード２、企業名、企業から連絡されたログインID、パスワード、企業情報を記入する個別企業情報カード３からなり、前記各シートを脱着自在に綴じられている。【選択図】図１
2014083793.tif 000002
【特許請求の範囲】
【請求項１】
就職活動期間中の訪問企業、訪問時間、訪問目的が日付毎に記入出来て、ファイルされるカレンダーカード、エントリーシートの提出先、提出日、提出確認チェックを記入出来て一覧となっている、ファイルされるエントリーシート提出期限一覧表カード、企業名、企業から連絡されたログインID、パスワード、企業情報を記入する個別企業情報カードからなり、前記各シートを脱着自在に綴じられていることを特徴とする、就職活動の管理カード帳。
【発明の詳細な説明】
【技術分野】
【０００１】
本発明は、就職活動の情報を管理するための就職活動管理カードである。
【背景技術】
【０００２】
従来から、図５の流れに沿った就職活動の為の管理ノートが、実用登録３１０９５３１公報に記載されているように周知である。
【先行技術文献】
【特許文献】
【０００３】
【特許文献１】実用登録３１０９５３１
【発明の概要】
【発明が解決しようとする課題】
【０００４】
情報管理は、現代においてはパソコンなどで行うことも可能であるが、就職活動が進むに連れて、大勢が集まる狭い部屋で、時には立ったまま、非常な早さで必要事項を記録することや、対面において相手の言葉を記す場合、ノートやメモなどを利用することが一般的である。
【０００５】
実用登録３１０９５３１で示されている就職管理ノートは、ノート状である為に、企業別に与えられた情報スペースが一様であり、ある企業からの情報が多量な場合、はみ出した情報は、別の部分に書かなければならず、一つの企業の情報をまとめて管理することが困難である。また、企業に関する大切な情報（企業名、エントリーシートの提出の有無、企業から与えられたログインID及びパスワード）がそれぞれノートの別の部分に保存されていると、企業の個別情報をノートのあちこちで探すことになる。
【０００６】
就職活動をする学生は、１日に数社を巡り、大量の資料を持ち運ぶこともしばしばである。その為本発明は、少しでも軽量で、必要なものだけを持ち運ぶことが出来るものを提供することを目的としてなされたものである。
【課題を解決するための手段】
【０００７】
就職活動期間中の訪問企業、訪問時間、訪問目的が日付毎に記入出来て、ファイルされるカレンダーカード、エントリーシートの提出先、提出日、提出確認チェックを記入出来て一覧となっている、ファイルされるエントリーシート提出期限一覧表カード、企業名、企業から連絡されたログインID、パスワード、企業情報を記入する個別企業情報カードからなり、前記各シートを脱着自在に綴じられていることを特徴とする、就職活動の管理カード帳である。
【発明の効果】
【０００８】
上記により、本発明は以下のような効果が得られる。
１． 就職説明会等の企業との約束日時はカレンダーカード、何社もあるエントリーシートの提出期限を一括して管理出来るエントリーシート提出期限一覧表カード、パソコンなどで必要なログイン情報やエントリーシートの提出の有無、企業から与えられた情報などが記された個別の企業情報欄カードは、それぞれの役割が明確になっている。その結果、忙しい就職活動において、ミスを軽減し、最小の時間で欲しい情報を引き出すことが可能である。
２． カード方式で管理しているので、過去のものになったカレンダーカードや、不要になった企業情報カードを取り除いて、いつも必要な情報のみを管理することが可能である上、企業からの情報量に大きくばらつきがあるため、カード１枚に収まらない場合は、追加のカードに記し、それを１枚目のカードの後ろに配置することで、ひとつの企業の情報がノートの中で点在するというようなことを防ぐことが出来る。
３． 必要なカードのみを持ち歩くことが出来る。
【図面の簡単な説明】
【０００９】
【図１】本発明がファイルされた様子を示した斜視図である。
【図２】本発明の日付毎に記入可能なカレンダーカードの一例である。
【図３】本発明のエントリーシート提出期限一覧カードの一例である。
【図４】本発明の個別企業情報カードの一例である。
【図５】就職活動における一連の流れを示した図である。
【発明を実施するための形態】
【００１０】
以下、本発明の実施の形態を図に基づいて説明する。
（実施例１）
【００１１】
本発明の実施例を図１ないし図５に基いて説明する。本発明は３つの役割を持った３部のカード集合体である。３部の役割について以下のように説明する。
【００１２】
カレンダーカード１は、訪問企業、訪問活動、訪問目的が日付毎に記入可能なカレンダー５を設け、ファイルされることを目的とする。必要な期間に応じて、複数枚用いる事が可能であり、図１のようにファイルされているので、不必要になったカードは取り除くことが出来る。
【００１３】
エントリーシート提出期限一覧カード２は、エントリーシート提出期限日記入欄６、エントリーシート提出企業名記入欄７、エントリーシート提出確認チェック欄８を設けたものを数列、数段に並べ、ファイルされることを目的とする。これにより、多くの企業へのエントリーシートの提出の有無や期限を管理することが出来る。提出する企業数に応じて、カードは数枚使用することが出来、必要に応じて、図１のようにファイルしていくことが出来る。
【００１４】
個別企業情報カード３は、個別企業名記入欄９、エントリーシート提出確認チェック欄１０、企業より与えられるログインID記入欄１１、パスワード記入欄１２、及び企業情報を自由に記入出来る個別企業情報記入欄１３を設け、ファイルされることを目的とする。個別の企業に関するものは全てこのカードで管理するが、図５の就職の流れのように、企業による説明会等は１つの企業が何回も行うケースが一般的であり、企業によって情報量にも差がある。個別企業情報カードは必要に応じて枚数を増やしていくことが可能で、図１のようにファイルすることが可能なので、企業別にカードをまとめることが可能であり、企業名による索引などを用いて整理することが出来る。また、不必要になった企業情報は取り除くことが可能である。
【００１５】
ファイル可能な本発明のカードは、カードの一辺以上の部分に穴を設けることで、図１のようにファイルすることを目的としたバインダー４などに綴じることが出来る。
【符号の説明】
【００１６】
１  カレンダーカード
２  エントリーシート提出期限一覧カード
３  個別企業情報カード
４  ファイルすることを目的としたバインダー
５  日付毎に記入可能なカレンダー
６  エントリーシート提出期限日記入欄
７  エントリーシート提出企業記入欄
８  エントリーシート提出確認チェック欄
９  個別企業名記入欄
１０  エントリーシート提出確認チェック欄
１１  ログインID記入欄
１２  パスワード記入欄
１３  個別企業情報記入欄
【図１】
2014083793.tif 000003
【図２】
2014083793.tif 000004
【図３】
2014083793.tif 000005
【図４】
2014083793.tif 000006
【図５】
2014083793.tif 000007